(57)【要約】      （修正有）【課題】注出速度を調節することができる袋止め具を提供する。【解決手段】袋留め具は、注出通路１１が内部に形成された注出筒を備え、注出筒には、密封対象の包装袋の開口を密封状態に接続するための接続構造が、注出通路１１と連通して設けられている。この袋留め具は、注出筒に、注出通路１１のガイド通路面積を調節することのできる開閉アジャスタ２が設けられている。使用者が実際の必要に応じて注出量を調節しやすいので、密封対象の包装袋の中身の浪費防止につながる。【選択図】図１
0003231911.tif 000002
【実用新案登録請求の範囲】
【請求項１】
注出通路（１１）が内部に形成された注出筒（１）を備え、前記注出筒（１）に、密封対象の包装袋の開口を密封状態に接続するための接続構造が、前記注出通路（１１）と連通して設けられている、袋留め具であって、
前記注出筒（１）には、前記注出通路（１１）のガイド通路面積を調節することのできる開閉アジャスタ（２）が設けられていることを特徴とする、
袋止め具。
【請求項２】
前記開閉アジャスタ（２）は、前記注出筒（１）に可動に設けられ、前記注出通路（１１）の径方向に平行な平面において往復移動することができ、
前記開閉アジャスタ（２）は、前記注出通路（１１）を完全に遮断することのできる閉口部（２２）と、前記注出通路（１１）を完全に開けることのできる開口部（２１）とを有し、前記閉口部（２２）と前記開口部（２１）とは、前記開閉アジャスタ（２）の往復移動方向に沿って間隔をあけて配置されていることを特徴とする、
請求項１に記載の袋止め具。
【請求項３】
前記注出筒（１）には、その内部の前記注出通路（１１）と連通する挿通口（１２）が前記注出通路（１１）の径方向に貫通して形成されており、前記開閉アジャスタ（２）は、前記挿通口（１２）内に往復にスライド可能に貫設されていることを特徴とする、
請求項２に記載の袋止め具。
【請求項４】
前記開閉アジャスタ（２）のスライド方向の両側にはそれぞれ、前記挿通口（１２）の外周壁の両対向側のそれぞれと当接するための第１ストッパー（２３）と第２ストッパー（２４）とが突設されていることを特徴とする、
請求項３に記載の袋止め具。
【請求項５】
前記注出筒（１）には、前記注出筒（１）の軸方向に沿って往復にスライド可能なキャップ（４）が設けられており、前記キャップ（４）の内壁には、前記閉口部（２２）を押し上げるための当接部（４１）が設けられていることを特徴とする、
請求項２に記載の袋止め具。
【請求項６】
前記閉口部（２２）には、密封リング（３）が嵌め込まれており、前記密封リング（３）の上端面は、前記閉口部（２２）の上端面と略同一平面上にあることを特徴とする、
請求項５に記載の袋止め具。
【請求項７】
前記当接部（４１）は、前記キャップ（４）の内壁から上に延びる囲い壁であることを特徴とする、
請求項５に記載の袋止め具。
【請求項８】
前記注出筒（１）には、前記キャップ（４）の軸方向上方への移動範囲を制限するための第３ストッパー（１３）が突設されていることを特徴とする、
請求項５に記載の袋止め具。
【請求項９】
前記キャップ（４）は、前記注出筒（１）の下端と螺合することを特徴とする、
請求項５に記載の袋止め具。
【請求項１０】
前記接続構造は、前記注出筒（１）の上端周縁から外に延びる環形フランジ（１４）と、前記注出筒（１）の上端部に螺合する押圧栓（５）とを有し、前記押圧栓（５）と前記環形フランジ（１４）との間には、密封対象の包装袋の開口を挟持するためのギャップ（Ｘ）が形成されていることを特徴とする、
請求項１に記載の袋止め具。
【考案の詳細な説明】
【技術分野】
【０００１】
本考案は、ビニール袋の袋止めの技術分野に関し、具体的には袋止め具に関する。
【背景技術】
【０００２】
袋止め具とは、プラスチック、ステンレス、ポリエチレン（ＰＥ）等の材料から製造され、食品の袋の口を密封して食品の酸化や変質を防ぐための止め具である。袋止め具は、主に、対向して設けられた２つのクリップ片を備え、この２つのクリップ片の一端は連結され、他端は開口している。２つのクリップ片の他端には、挟み止め構造が設けられており、密封対象の包装袋の開口を２つのクリップ片の間に挟んだ後、挟み止め構造によって２つのクリップ片の他端を連結することで、密封対象の包装袋が密封される。上述の袋止め具の構造は、中国実用新案登録番号第２０１１２０３４９８０２．５号（中国実用新案公告番号第２０２２９５６４２号）の「食品を挟み取ることが可能な袋止め具」に開示されている。しかし、このような袋止め具は、毎回食品を取る度に取り外し、食品を取り終わった後に再び取り付ける必要があるので、やはり使いにくい。
【０００３】
上述の問題を解決すべく、中国実用新案登録番号第２０１７２００６２７７１．２（中国実用新案公告番号第２０６５３７６８５号）には、ビニール袋の袋止め具が開示されている。この袋止め具の注出ヘッドは筒状であり、注出ヘッドの外側には、ビニール袋を注出ヘッドに密着させることのできる密封クリップの押圧部が装着される。押圧部は、その中心線を通過する平面によって分けられた２つの部分からなり、この押圧部の２つの部分は、その片側においてヒンジで連結されており、他方の側において係止構造により脱着可能になっている。また、注出ヘッドの一端の口には、キャップが設けられている。上述のビニール袋の袋止め具は、注出ヘッドの口にキャップを設けたことにより、密封対象の包装袋の中身を出す時に、キャップを開けて傾けるだけでよく、袋止め具を一度装着した後は、使用時に繰り返し脱着する必要がないので、より便利に密封対象の包装袋の中身を出すことができる。しかし、このビニール袋の袋止め具の注出ヘッドの注出口は、口径の大きさが固定されており、注出速度がほぼ同じである。このため、使用者が実際の状況に応じて注出速度をコントロールしにくく、さらには注出量を調節しにくいので、密封対象の包装袋の中身を浪費しやすい。このため、ビニール袋の袋止め具は、なおも改良する必要がある。
【考案の概要】
【考案が解決しようとする課題】
【０００４】
本考案が解決しようとする技術的課題は、上述の技術的現状に鑑み、使用者が実際の必要に応じて注出量を調節しやすいように、注出速度を調節可能な袋止め具を提供することであり、それにより密封対象の包装袋の中身の浪費を防ぐ。
【課題を解決するための手段】
【０００５】
本考案が上述の技術的課題を解決するために採用した技術的手段は、注出通路が内部に形成された注出筒を備え、注出筒に、密封対象の包装袋の開口を密封状態に接続するための接続構造が、注出通路と連通して設けられている、袋留め具であって、この袋止め具は、注出筒に、注出通路のガイド通路面積を調節することのできる開閉アジャスタが設けられていることを特徴とする。
【０００６】
密封対象の包装袋の中身は、キャットフード、ドッグフード、ナッツ、豆類等の食品でもよいし、粉末洗濯洗剤や工業製品の原料等でもよい。
【０００７】
開閉アジャスタによって注出通路のガイド通路面積をより簡単に調節するために、開閉アジャスタは、注出筒に可動に設けられ、注出通路の径方向に平行な平面に沿って往復移動することができる。また、開閉アジャスタには、注出通路を完全に遮断することのできる閉口部と、注出通路を完全に開けることのできる開口部とが設けられており、閉口部と開口部とは、開閉アジャスタの往復移動方向に沿って間隔をあけて配置されている。
【０００８】
開閉アジャスタは、注出通路の径方向に平行な平面において、往復にスライドすることも往復に回転することもでき、それに対応するように、閉口部と開口部とは、開閉アジャスタのスライド方向又は回転方向に沿って間隔をあけて配置されている。開閉アジャスタの移動を調節することによって、開口部と注出通路とが対応して連通したり、或いは開口部と注出通路とがずれて注出通路が遮断されたりするので、注出通路のガイド通路面積が調節される。
【０００９】
開閉アジャスタを注出筒の径方向に平行な平面上でより簡単に移動させるために、注出筒には、その内部の注出通路と連通する挿通口が、注出通路の径方向に貫通して形成されており、開閉アジャスタは、挿通口内に往復にスライド可能に貫設されている。
【００１０】
開閉アジャスタの往復スライド範囲を制限するために、開閉アジャスタのスライド方向の両側にはそれぞれ、挿通口の外周壁の両対向側のそれぞれと当接するための第１ストッパーと第２ストッパーとが突設されている。第１ストッパーと挿通口の外周壁の片側とが当接した状態では、注出通路が開閉アジャスタの開口部によって完全に開けられるため、注出通路のガイド通路面積は最大である。第２ストッパーと挿通口の外周壁の他方の側とが当接した状態では、注出通路が開閉アジャスタの閉口部によって完全に遮断されるため、注出通路のガイド通路面積は最小である。
【００１１】
開閉アジャスタが挿通口に対して往復にスライド可能であるため、通常、開閉アジャスタと挿通口の内壁との間には隙間ができ、空気や水分が隙間から注出筒に入りやすく、密封対象の包装袋の中身の変質や劣化を招く。注出通路が閉口部によって完全に遮断されている時に、密封対象の包装袋の密封性を調節するため、注出筒には、注出筒の軸方向に沿って往復にスライド可能なキャップが設けられており、キャップの内壁には、閉口部を押し上げるための当接部が設けられている。キャップを軸方向に往復してスライドさせて、当接部の閉口部に対する押し上げ具合を調節することにより、当接部と挿通口の内壁との間の隙間の大きさを調節することができるので、密封対象の包装袋の密封性をコントロールすることができる。
【００１２】
注出通路が閉口部により完全に遮断されている時に、密封対象の包装袋の密封性を向上させるため、閉口部には、密封リングが嵌め込まれており、密封リングの上端面は、閉口部の上端面と略同一平面上にある。このため、当接部と閉口部とが離れている時に、密封リングによって開閉アジャスタの挿通口内でのスムーズなスライドが妨げられることはない。また、キャップが軸方向上方に移動して当接部が閉口部を押し上げた時に、密封リングが挿通口内の天壁と接触して密封対象の包装袋の密封性を向上させる。
【００１３】
キャップの軽量化と原料節約のため、当接部は、キャップの内壁から上に延びる囲い壁である。
【００１４】
キャップが軸方向上方に移動する範囲を制限するため、注出筒には、キャップの軸方向上方への移動範囲を制限するための第３ストッパーが突設されている。第３ストッパーとキャップとが当接した状態において、当接部は閉口部と当接する。
【００１５】
より簡単にキャップを注出筒に接続するために、キャップは、注出筒の下端と螺合する。螺合するように設計されていることで、キャップは注出筒に脱着可能であり、キャップは注出筒に対して軸方向にスライドすることができる。
【００１６】
注出筒と密封対象の包装袋の開口との接続における密封性を向上させるために、接続構造は、注出筒の上端周縁から外に延びる環形フランジと、注出筒の上端部に螺合する押圧栓とを有し、押圧栓と環形フランジとの間には、密封対象の包装袋の開口を挟持するためのギャップが形成されている。
【考案の効果】
【００１７】
既存技術と比べた本考案の特長は、以下である。注出通路のガイド通路面積を調節することができる開閉アジャスタを注出筒に設けたことによって、注出速度を調節でき、注出量をコントロールしやすくなるため、密封対象の包装袋の中身の浪費防止につながる。また、軸方向に往復スライド可能なキャップを注出筒に設けるとともに、閉口部を押し上げる当接部をキャップに設けたことによって、キャップを軸方向にスライドさせて、当接部の閉口部に対する押し上げ具合を調節することができ、これにより、当接部と挿通口の内壁との間の隙間の大きさを調節して、密封対象の包装袋の密封性をコントロールすることができる。さらに、閉口部の上端面と同一平面上にある上端面を有する密封リングを閉口部に嵌め込んだことにより、当接部と閉口部とが離れている時に、密封リングによって開閉アジャスタの挿通口内でのスムーズなスライドが妨げられることがなく、また、キャップが軸方向上方に移動して当接部が閉口部を押し上げた時に、密封リングが挿通口内の天壁と接触して密封対象の包装袋の密封性を向上させる。
【図面の簡単な説明】
【００１８】
【図１】本考案の実施例にかかる袋止め具の構造を示す斜視図である（注出通路が完全に開けられた状態を示す）。
【図２】図１の縦断面図である。
【図３】本考案の実施例にかかる袋止め具の構造を示す斜視図である（注出通路が完全に遮断された状態を示す）。
【図４】図３の縦断面図である。
【考案を実施するための形態】
【００１９】
以下、図面と実施例とを結び付けながら、本考案についてさらに詳しく説明する。
【００２０】
図１〜４に示すのは、本考案の最良の実施例である。
【００２１】
本実施例の袋止め具は、注出筒１、開閉アジャスタ２、密封リング３、キャップ４、及び押圧栓５等の主要部品を備える。
【００２２】
図２及び図４に示すように、本実施例の注出筒１は、上部が大きく下部が小さい円錐台筒状であり、その内部には注出通路１１が設けられている。注出筒１の上端には、密封対象の包装袋の開口を密封状態に接続するための接続構造が、注出通路１１と連通して設けられている。密封対象の包装袋の中身は、キャットフード、ドッグフード、ナッツ、豆類等の食品でもよいし、粉末洗濯洗剤や工業製品の原料等でもよい。開閉アジャスタ２は、注出筒１に設けられており、注出通路１１のガイド通路面積を調節することができる。これにより、袋止め具の注出速度が調節され、注出量がコントロールしやすくなり、密封対象の包装袋の中身の浪費防止につながる。
【００２３】
図１〜４に示すように、本実施例の開閉アジャスタ２は板状であり、この開閉アジャスタ２は、注出通路１１の径方向に平行な平面において往復にスライド可能である。図１〜４に示すように、この開閉アジャスタ２には、注出通路１１を完全に遮断することのできる閉口部２２と、注出通路１１を完全に開けることのできる開口部２１とが設けられており、閉口部２２と開口部２１とは、開閉アジャスタ２の往復スライド方向に沿って間隔をあけて配置されている。開閉アジャスタ２が往復してスライドすることにより、開口部２１と注出通路１１とが対応して連通したり、或いは、開口部２１と注出通路１１とがずれて注出通路１１が遮断されたりするため、注出通路１１のガイド通路面積が調節される。
【００２４】
図２及び図４に示すように、注出筒１の中間部には、注出通路１１と連通する挿通口１２が形成されている。この挿通口１２は、注出通路１１の径方向に貫通しており、開閉アジャスタ２は、この挿通口１２内に往復にスライド可能に貫設されている。開閉アジャスタ２の往復スライド範囲を制限するために、図１〜４に示すように、開閉アジャスタ２のスライド方向の両側にはそれぞれ、第１ストッパー２３と第２ストッパー２４とが突設されている。第１ストッパー２３と第２ストッパー２４は、挿通口１２の外周壁の両対向側のそれぞれと当接するために用いられる。第１ストッパー２３と挿通口１２の外周壁の片側とが当接した状態では、注出通路１１が開閉アジャスタ２の開口部２１によって完全に開けられるため、注出通路１１のガイド通路面積は最大である。第２ストッパー２４と挿通口１２の外周壁の他方の側が当接した状態では、注出通路１１が開閉アジャスタ２の閉口部２２によって完全に遮断されるため、注出通路１１のガイド通路面積は最小である。使用者が開閉アジャスタ２をつかみやすいように、開閉アジャスタ２の周壁両側の摩擦力を高めるため、図１に示すように、開閉アジャスタ２の周壁両側にはそれぞれ、複数の第１リブ２５が、間隔をあけて設けられている。
【００２５】
図１〜４に示すように、注出筒１の下端には、注出筒１の軸方向に沿って往復にスライド可能なキャップ４が設けられている。キャップ４の内壁には、閉口部２２を押し上げるための当接部４１が設けられている。キャップ４を軸方向に往復スライドさせて、当接部４１の閉口部２２に対する押し上げ具合を調節することにより、当接部４１と挿通口１２の内壁との間の隙間の大きさを調節することができ、さらには密封対象の包装袋の密封性をコントロールすることができる。図２及び図４に示すように、閉口部２２には密封リング３が嵌め込まれており、密封リング３の上端面と閉口部２２の上端面とは略同一平面上にある。そのため、当接部４１と閉口部２２とが離れている時に、密封リング３によって開閉アジャスタ２の挿通口１２内でのスムーズなスライドが妨げられることはない。また、キャップ４が軸方向上方に移動して当接部４１が閉口部２２を押し上げた時に、密封リング３は、挿通口１２内の天壁と接触して密封対象の包装袋の密封性を向上させる。図２及び図４に示すように、当接部４１は、キャップ４の内壁から上に延びる囲い壁である。図２及び図４に示すように、注出筒１には、キャップ４の軸方向上方への移動範囲を制限するための第３ストッパー１３が突設されており、この第３ストッパー１３は、キャップ４の上方に設けられた環形の凸部である。第３ストッパー１３とキャップ４とが当接した状態において、当接部４１は閉口部２２と当接する。図２及び図４に示すように、キャップ４は注出筒１の下端と螺合する。図１に示すように、キャップ４の周壁には、複数の第２リブ４１が間隔をあけて設けられている。こうすることで、キャップ４の周壁の摩擦力が増し、使用者が握りやすい。
【００２６】
図２及び図４に示すように、接続構造は、注出筒１の上端周縁から外に延びる環形フランジ１４と、注出筒１の上端の端部に螺合する押圧栓５とを有し、押圧栓５と環形フランジ１４との間には、密封対象の包装袋の開口を挟持するためのギャップＸが形成されている。このため、接続構造が簡単になり、注出筒１と密封対象の包装袋の開口との接続における密封性がさらに高まる。
【００２７】
本実施例の袋止め具の動作原理は以下のとおりである。
【００２８】
袋止め具を取り付ける時は、押圧栓５を回しながら軸方向上方へ移動させてギャップＸを広げ、ギャップＸの中に密封対象の包装袋の開口を差し込んだ後、押圧栓５を反対に回しながら軸方向下方へ移動させてギャップＸを狭め、袋止め具と密封対象の包装袋の開口とを密封状態に接続する。
【００２９】
密封対象の包装袋を傾けて中身を出す必要がある時は、開閉アジャスタ２を押して、開口部２１が注出通路１１と対応するまで、開閉アジャスタ２を注出通路１１の径方向に平行な平面上でスライドさせ、実際の必要に応じて開口部２１と注出通路１１の重なり具合を調節する。第１ストッパー２３と挿通口１２の外周壁の片側とが当接した状態で、開閉アジャスタ２の開口部２１と注出通路１１との重なり面積は最大となり、開口部２１により注出通路１１が完全に開けられる（図２参照）ため、注出速度は最大となる。また、第２ストッパー２４と挿通口１２の外周壁の他方の側とが当接した状態で、開閉アジャスタ２の閉口部２２と注出通路１１との重なり面積は最大となり、閉口部２２により注出通路１１が完全に遮断される（図４参照）ため、注出は止まる。重なり具合を調節した後、キャップ４を開けて、密封対象の包装袋を傾けて中身を出すだけでよい。
【００３０】
注出が完了した後は、開閉アジャスタ２を押して、閉口部２２が注出通路１１を完全に塞ぐまで、開閉アジャスタ２を注出筒１の径方向に平行な平面上でスライドさせる。そして、キャップ４で蓋をして、キャップ４が第３ストッパー１３と当接するまで、キャップ４を回して軸方向上方へ移動させる。この時、当接部４１が閉口部２２と当接することによって、密封リング３が挿通口１２内の天壁と接触する。
【先行技術文献】
【特許文献】
【００３１】
【特許文献１】中国実用新案公告番号第２０２２９５６４２号
【特許文献２】中国実用新案公告番号第２０６５３７６８５号
【図１】
0003231911.tif 000003
【図２】
0003231911.tif 000004
【図３】
0003231911.tif 000005
【図４】
0003231911.tif 000006